(57)【特許請求の範囲】
【請求項１】
開位置と閉位置との間を移動可能なスライドコアと、
前記スライドコアの下部を該スライドコアの開閉方向に案内するガイドレールと、
所定の上方位置及び下方位置の間で移動されるカム部材とを備え、
前記スライドコアは、開方向でかつ上方向に面する第１傾斜面と、開閉方向に沿った側面から張り出した段差部とを備え、
前記段差部の段差を構成する面のうち、前記第１傾斜面と平行であって、前記スライドコアの閉方向でかつ下方向に面する面が第２傾斜面となっており、
前記カム部材は、前記下方位置への移動により前記第１傾斜面に作用して前記スライドコアを閉位置に位置させる第１カム面と、該カム部材の幅方向に揺動する揺動部材とを備え、
前記揺動部材は、揺動軸が前記開閉方向に沿って前記カム部材の上方に位置し、かつ下端が該カム部材の内方に向けて付勢されており、
前記揺動部材には、前記カム部材が前記上方位置へ移動するときに前記第２傾斜面に作用して前記スライドコアを閉位置から開位置へ移動させる第２カム面が設けられており、
前記スライドコアが閉位置に位置するとき、前記カム部材が前記上方位置から下方位置へ移動されると、前記揺動部材が前記スライドコアの段差部を前記付勢力に抗して乗り越えて前記第２カム面が前記第２傾斜面に対向することを特徴とするスライドコア装置。
【請求項２】
前記第１傾斜面に作用する第３カム面を備えた別のカム部材を備え、
前記スライドコアが開位置に位置するとき、前記別のカム部材が所定の上方位置から下方位置へ移動されると、前記第３カム面が前記第１傾斜面に作用し、該スライドコアを閉位置まで移動させることを特徴とする請求項１に記載のスライドコア装置。
【請求項３】
前記ガイドレールには、前記スライドコアの案内に際し、該スライドコアを開位置及び閉位置に位置決めするためのボールプランジャが設けられていることを特徴とする請求項１又は２に記載のスライドコア装置。
【発明の詳細な説明】
【技術分野】
【０００１】
本発明は、スライドコアを備え、該スライドコアを駆動させるスライドコア装置に関する。
【背景技術】
【０００２】
一般に、多色成形を行うに際し、スライドコアを用いてアンダーカット部分を成形する場合、アンダーカット部分の形状を維持するために、各色についての成形を通してスライドコアを閉位置に維持し、各色についての成形を完了するときに、スライドコアが開かれる。
【０００３】
このようなスライドコアの駆動を実現する技術として、例えば特許文献１には、スライドコア上でバネにより揺動可能に後面から付勢された可動壁を有する多色成形用のスライドコア装置が記載されている。この装置において、１色目の成形に際しては、一次成形用の金型と共に下降する押えカムのカム面により、押えカムと可動壁が干渉することなく、スライドコアが閉位置に移動される。
【０００４】
２色目の成形に際しては、二次成形用の金型と共に下降するアンギュラーカムが、可動壁に接触し、付勢力に抗して可動壁を揺動させることにより、支障なく下降し、アンギュラーカムの前側の傾斜カム面をスライドコアの傾斜面に接触させてスライドコアを閉位置に維持する。２色目の成形が完了すると、付勢力により復帰している可動壁が、二次成形用の金型とともに上昇するアンギュラーカムの後ろ側傾斜カム面により押圧され、スライドコアが開かれる。
【０００５】
また、特許文献２には、固定側型板と可動側型板に付属するスライドコアとの間に跨る小形のカムを組み込むことにより、金型の軽量化を図ったスライドコア操作装置が記載されている。このカムは、固定側型板に揺動可能に取り付けられており、スライドコアを開くとき、スライドコアによって付勢力に抗し揺動され、スライドコアとカムとの係合位置関係を型閉じ時まで維持する機能を有している。
【先行技術文献】
【特許文献】
【０００６】
【特許文献１】特開２００７−２９６７７３号公報
【特許文献２】実公平７−５６１８２号公報
【発明の概要】
【発明が解決しようとする課題】
【０００７】
しかしながら、特許文献１のスライドコア装置によれば、スライドコア上にバネで揺動可能に付勢した可動壁を有するので、スライドコアの構成が複雑になる。したがって、スライドコアの構成が簡便であることを要する用途には適していない。
【０００８】
また、特許文献２のスライドコア操作装置は、カムの外側からカムに付勢力を付与するためのプッシュピンや、ばね、プラグ等の機構をカムの外側に備えるので、装置の構造が複雑で大きくなるという不都合を有する。
【０００９】
本発明の目的は、かかる従来技術の課題に鑑み、コンパクトでスライドコアの構成が簡便なスライドコア装置を提供することにある。
【課題を解決するための手段】
【００１０】
本発明のスライドコア装置は、開位置と閉位置との間を移動可能なスライドコアと、前記スライドコアの下部を該スライドコアの開閉方向に案内するガイドレールと、所定の上方位置及び下方位置の間で移動されるカム部材とを備え、前記スライドコアは、開方向及び上方向に面する第１傾斜面と、開閉方向に沿った側面から張り出した段差部とを備え、前記段差部の段差を構成する面のうち、前記第１傾斜面と平行であって、前記スライドコアの閉方向でかつ下方向に面する面が第２傾斜面となっており、前記カム部材は、前記下方位置への移動により前記第１傾斜面に作用して前記スライドコアを閉位置に位置させる第１カム面と、該カム部材の幅方向に揺動する揺動部材とを備え、前記揺動部材は、揺動軸が前記開閉方向に沿って前記カム部材の上方に位置し、かつ下端が該カム部材の内方に向けて付勢されており、前記揺動部材には、前記カム部材が前記上方位置へ移動するときに前記第２傾斜面に作用して前記スライドコアを閉位置から開位置へ移動させる第２カム面が設けられており、前記スライドコアが閉位置に位置するとき、前記カム部材が前記上方位置から下方位置へ移動されると、前記揺動部材が前記スライドコアの段差部を前記付勢力に抗して乗り越えて前記第２カム面が前記第２傾斜面に対向することを特徴とする。
【００１１】
これによれば、スライドコアには第１傾斜面と、第２傾斜面を有する段差部とを設けるだけでよいため、スライドコアの構成を簡便なものとすることができる。また、揺動部材は、揺動軸がスライドコアの開閉方向に沿ってカム部材の上方に位置しており、所定の場合にスライドコアの段差部を乗り越えて第２カム面が第２傾斜面に対向する機能を有していれば足りるので、スライドコア装置をコンパクトなものとすることができる。
【００１２】
また、多色成形に対し、スライドコア装置を容易に適用することができる。すなわち、１色目の成形が完了して閉位置に位置しているスライドコアに対し、２色目の成形用の上型とともにカム部材が上方位置から下方位置へ移動されると、第１カム面が第１傾斜面に作用してスライドコアを閉位置に維持するとともに、第２カム面がスライドコアの段差部を乗り越えて第２傾斜面に対向する。そして、２色目の成形が完了し、カム部材が上型とともに下方位置から上方位置へ移動されると、第２カム面が第２傾斜面に作用し、スライドコアも開かれる。
【００１３】
また、本発明においては、前記第１傾斜面に対応する第３カム面を備えた別のカム部材を備え、前記スライドコアが開位置に位置するとき、前記別のカム部材が所定の上方位置から下方位置へ移動されると、前記第３カム面が前記第１傾斜面に作用し、該スライドコアを閉位置まで移動させるようにしてもよい。
【００１４】
これによれば、１色目の成形に際しては、１色目の成形用の上型とこれに固定された前記別のカム部材とを用い、２色目の成形に際しは、２色目の成形用の上型とこれに固定された上述の揺動部材を有するカム部材とを用いることにより、２色成形を支障なく行うことができる。
【００１５】
さらに、本発明においては、前記ガイドレールには、前記スライドコアの案内に際し、該スライドコアを開位置及び閉位置に位置決めするためのボールプランジャが設けられていてもよい。これによれば、スライドコアを開位置及び閉位置に移動したとき、確実にスライドコアをその位置に固定することができる。
【図面の簡単な説明】
【００１６】
【図１】本発明の一実施形態に係るスライドコア装置のスライドコアの斜視図である。
【図２】前記スライドコア装置のガイドレールの斜視図である。
【図３】前記スライドコア装置の一次成形用カムの斜視図である。
【図４】前記スライドコア装置の二次成形用カムの斜視図である。
【図５】図４の二次成形用カムの分解図である。
【図６】前記スライドコア装置の動作を示す図である。
【発明を実施するための形態】
【００１７】
以下、図面を用いて本発明の実施形態を説明する。図１〜図４はそれぞれ、本発明の一実施形態に係るスライドコア装置を構成するスライドコア１、ガイドレール２、一次成形用カム３及び二次成形用カム４の斜視図である。
【００１８】
スライドコア１は、スライドコア１を開く方向（以下、「開方向」という。）でかつ上方向に面する傾斜面１１と、スライドコア１を閉じる方向（以下、「閉方向」という。）でかつ下方向に面する傾斜面１２とを有する。傾斜面１２は、スライドコア１の開閉方向に沿った両側面１３から張り出した凸条のような各段差部１４の段差を構成する面に形成されている。各段差部１４の傾斜面１２とは反対側の面は、スライドコア１の開方向側端面の両端部を構成している。該開方向側端面により傾斜面１１が形成される。
【００１９】
スライドコア１の底面には、ガイドレール２により開閉平方向に案内されるレール状の被案内部１５が設けられている。スライドコア１の閉方向側は、図示していない製品成形用の型部が固定される固定部１６となっている。
【００２０】
ガイドレール２は、直方体状の部材の上面側に、スライドコア１の被案内部１５を案内するのに適合した断面形状を有するレール部２１を設けた構造を有する。レール部２１の底面の中心には、スライドコア１を開いた位置（以下、「開位置」という。）及び閉じた位置（以下、「閉位置」という。）に位置決めするためのボールプランジャ２２が設けられている。なお、図６に示すように、これに対応する凹部１７ａ及び１７ｂが、スライドコア１の被案内部１５の底面に設けられている。
【００２１】
一次成形用カム３は、直方体形状の部材の下面に段差を設けたような構造を有し、その段差面が、スライドコア１の傾斜面１１に作用するカム面３１となっている。一次成形用カム３は、一次成形用の上型に固定され、該上型と一体的に所定の上方位置及び下方位置の間で移動する。スライドコア１が開位置に位置するとき、一次成形用カム３が上方位置から下方位置へ移動されると、カム面３１が傾斜面１１に作用し、スライドコア１を閉位置まで移動させる。
【００２２】
二次成形用カム４は、図示していない二次成形用の上型に固定され、該上型と一体的に所定の上方位置及び下方位置の間で移動される。二次成形用カム４は、下方位置への移動により傾斜面１１に作用してスライドコア１を閉位置に位置させるカム面４１と、上方位置への移動時に傾斜面１２に作用してスライドコア１を閉位置から開位置へ移動させるカム面４２と、カム面４２が設けられた２つの揺動部材４３とを備える。
【００２３】
図５は、二次成形用カム４の分解図である。同図に示すように、各揺動部材４３は、遥動の軸線が開閉方向に沿って二次成形用カム４の上部両側に位置し、かつ下端同士が所定の間隔を有するように、耐熱性の板ばね４４により内方へ向けて付勢される。この間隔はほぼスライドコア１の両側面１３間の間隔に等しい。
【００２４】
すなわち、各揺動部材４３は、上端部の内側に、軸線が開閉方向に沿った部分円筒部４５を備える。これに対応し、二次成形用カム４の本体部４６は、上部の両側に、部分円筒部４５を受け入れて揺動可能に支持する受け部４７を有する。
【００２５】
各揺動部材４３は、各部分円筒部４５を各受け部４７に配置し、各受け部４７の上端の凹部４８が板ばね４４の両端部で押圧されるように板ばね４４を配置し、その上をプレート４９で覆い、そしてねじ５０で板ばね４４及びプレート４９を本体部４６に締結することにより取り付けられる。これにより、各揺動部材４３の下端が、スライドコア１の両側面１３間の間隔程度の間隔を有するように、板ばね４４によって付勢される。
【００２６】
なお、各揺動部材４３の下端及びスライドコア１の各段差部１４の上端は、各揺動部材４３が各段差部１４の外側に嵌まり易いように、面取りがなされている。
【００２７】
図６は２色成形を行うときのスライドコア装置の動作を示す。図６（ａ）〜（ｄ）においては、スライドコア装置を側面側から見た様子を示している。図６（ｅ）〜（ｉ）においては、側面側から見た様子に加え、閉方向側から見た様子を、一部分を断面として、併せて示している。なお、スライドコア１は、開位置に位置するとき、ボールプランジャ２２により凹部１７ａを介して位置決めされ、閉位置に位置するとき、凹部１７ｂを介して位置決めされる。
【００２８】
２色成形に際しては、まず、図６（ａ）のように、型締めを行うために、一次成形用の上型に固定された一次成形用カム３が、上型とともに、所定の上方位置から下方位置に向けて、ガイドレール２上の開位置に位置するスライドコア１の方に下降される。これに伴い、図６（ｂ）のように、カム面３１は、スライドコア１の傾斜面１１に作用し、スライドコア１を閉位置へ向けて移動させる。
【００２９】
一次成形用カム３が下方位置に到達すると、図６（ｃ）のように、スライドコア１は閉位置に位置する。これにより型締めが完了するので、この状態で一次成形のための成形剤の注入が行われる。その後、型を開くときには、図６（ｄ）のように、一次成形用カム３は、上型とともに、上方位置へ移動される。この後、二次成形の型締めが行われるまでの間、ボールプランジャ２２によって、スライドコア１の位置が閉位置に維持される。
【００３０】
次に、二次成形を行うために、図６（ｅ）に示すように、図示していない二次成形用の上型に固定された二次成形用カム４が、所定の上方位置から下方位置に向けて、ガイドレール２上の閉位置に位置するスライドコア１の方に下降される。これに伴い、図６（ｆ）のように、揺動部材４３が、スライドコア１の各段差部１４を板バネ４４による付勢力に抗して乗り越える。
【００３１】
二次成形用カム４が下方位置に到達すると、図６（ｇ）のように、カム面４１が傾斜面１１に作用してスライドコア１を閉位置に維持するとともに、揺動部材４３のカム面４２が、スライドコア１の傾斜面１２に対向する。これにより二次成形のための型締めが完了するので、この状態で二次成形のための成形剤の注入が行われる。
【００３２】
この間、カム面４１により、成形剤の注入圧力に抗して、スライドコア１が閉位置に維持される。その後、型を開くときには、二次成形用カム４が、該上型とともに、上方位置へ移動される。
【００３３】
これに伴い、図６（ｈ）のように、カム面４２は、スライドコア１の傾斜面１２に作用し、スライドコア１を開位置へ向けて移動させる。図６（ｉ）のように、二次成形用カム４が上方位置に到達したとき、スライドコア１は開位置に位置している。これにより型開きが完了する。
【００３４】
以上のように、本実施形態によれば、スライドコア１を開閉方向に移動させるための構成として、スライドコア１には傾斜面１２及び傾斜面１１を設けるだけでよいため、スライドコア１の構成を簡便なものとすることができる。
【００３５】
また、揺動部材４３は、二次成形用カム４の側面に沿った板状の形態を有し、スライドコア１と組み合わせた場合、段差部１４と揺動部材４３とがほぼ同一面を構成し、全体としてほぼ長方形の形態であるため、スライドコア装置をコンパクトなものとすることができる。
【００３６】
また、二次成形用カム４が、上方位置から下方位置に向けて、閉位置に位置するスライドコア１の方に下降されたとき、カム面４１が傾斜面１１に作用してスライドコアを閉位置に維持するとともに、揺動部材４３が、スライドコア１の各段差部１４を乗り越え、揺動部材４３のカム面４２が、スライドコア１の傾斜面１２に対向するので、二次成形及びその後の型開きを支障なく行うことができる。
【００３７】
なお、本発明は上述実施形態に限定されない。例えば、上述実施形態においては、２色成形を行う場合について述べたが、これに限らず、本発明は、インサート成形時にインサート品を位置決めして保持する保持部材を進退させるために用いることもできる。
【符号の説明】
【００３８】
１…スライドコア、２…ガイドレール、３・・・一次成形用カム（別のカム部材）、４・・・二次成形用カム（カム部材）、１１・・・傾斜面（第１傾斜面）、１２・・・傾斜面（第２傾斜面）、１４・・・段差部、３１・・・カム面（第３カム面）、４１・・・カム面（第１カム面）、４２・・・カム面（第２カム面）、４３・・・揺動部材。
【図１】
0005238845.tif 000002
【図２】
0005238845.tif 000003
【図３】
0005238845.tif 000004
【図４】
0005238845.tif 000005
【図５】
0005238845.tif 000006
【図６】
0005238845.tif 000007